(57)【要約】【課題】  砲台本体の旋回と砲身の揺動とが連動する砲台を模した模型玩具を提供する。【解決手段】  砲台本体３０８と、砲台本体３０８が旋回可能に取り付けられた砲台支持部４０４と、砲台本体３０８に揺動可能に設けられた砲身３０９と、を備える砲台３０２を模した模型玩具であって、前記砲台支持部４０４は、前記砲台本体３０８が取り付けられたときに前記砲身の一部と接触し、前記砲台本体３０８の前記砲台支持部４０４に対する旋回に応じて、前記砲身３０９を揺動させる案内部４０５を有することを特徴とする。【選択図】  図４
2007306989.tif 000002
【特許請求の範囲】
【請求項１】
砲台本体と、砲台本体が旋回可能に取り付けられた砲台支持部と、砲台本体に揺動可能に設けられた砲身と、を備える砲台を模した模型玩具であって、
前記砲台支持部は、前記砲台本体が取り付けられたときに前記砲身の一部と接触し、前記砲台本体の前記砲台支持部に対する旋回に応じて、前記砲身を揺動させる案内部を有することを特徴とする模型玩具。
【請求項２】
前記案内部は、前記砲台本体の旋回軸回りに無端状に配設されていることを特徴とする請求項１に記載の模型玩具。
【請求項３】
前記砲台本体の旋回軸は、前記砲台支持部が有する貫通穴に挿着されることを特徴とする請求項２に記載の模型玩具。
【請求項４】
前記案内部は、前記砲台支持部の周面に配設された無端の溝部であることを特徴とする請求項１に記載の模型玩具。
【請求項５】
前記砲身の一部とは、前記砲身の端部に配設された突起部であり、前記砲台本体の旋回により、該突起部は前記溝部に沿って摺動することを特徴とする請求項４に記載の模型玩具。
【請求項６】
前記砲台本体には、前記砲身が揺動可能に複数設けられており、該各砲身の前記各突起部は、前記旋回軸から略等距離に位置するように、配設されていることを特徴とする請求項５に記載の模型玩具。
【請求項７】
前記案内部は、前記砲台本体の前記砲台支持部に対する旋回により、前記各突起部の高さ位置が互いに等しくなるように形成されていることを特徴とする請求項６に記載の模型玩具。
【請求項８】
前記砲台支持部は、前記砲台に対して着脱可能であることを特徴とする請求項１に記載の模型玩具。
【請求項９】
前記砲台支持部は、前記砲台に対して着脱可能であり、更に前記砲台支持部が有する貫通穴に前記砲台本体の旋回軸を挿着する場合に、前記突起部を該挿着する方向に押圧するように、該砲台支持部にはテーパ面が配設されていることを特徴とする請求項５に記載の模型玩具。
【請求項１０】
請求項１乃至９のいずれか１項に記載の砲台を模した模型玩具が取り付けられた戦艦型の模型玩具。
【請求項１１】
請求項１乃至９のいずれか１項に記載の砲台を模した模型玩具が取り付けられた戦車型の模型玩具。
【発明の詳細な説明】
【技術分野】
【０００１】
本発明は、砲台を模した模型玩具および該模型玩具が取り付けられた戦艦型または戦車型の模型玩具に関するものである。
【背景技術】
【０００２】
従来より、戦艦型の模型玩具や戦車型の模型玩具等、砲台が取り付けられた模型玩具が一般的に知られている。これらの模型玩具に取り付けられる砲台は、通常、砲身が揺動し、かつ砲台本体が旋回するよう構成されている。
【０００３】
図１は、戦艦型の模型玩具に取り付けられる砲台（１００）の外観構成を示す図である。同図において、１０１は砲台本体であり、１０２は砲身である。また、図２の（ａ）は、砲台１００の側面断面図であり、図２の（ｂ）は、砲台１００の平面断面図である。
【０００４】
図２（ａ）、（ｂ）に示すように、従来の砲台１００には、砲台本体１０１に砲身揺動軸２０１が配されているとともに、砲身１０２の端部には、該砲身揺動軸２０１回りに砲身１０２を揺動させるための砲身揺動部材２０２が配されている。このため、ユーザは、砲身１０２を砲身揺動軸２０１回りに手動で揺動させることで、砲身１０２の仰角を自由に変えることができる（図２（ａ）の点線は、砲身１０２の仰角が大きくなった状態を示している）。
【０００５】
また、図２（ａ）、（ｂ）に示すように、従来の砲台１００には、砲台本体１０１に砲台旋回軸２０３が配されており、砲台支持部材２０４に挿着されている。そして、砲台支持部材２０４は、砲台支持部材を固定する基部（戦艦型の模型玩具にあっては、甲板部）２０５に固定されている。
【０００６】
このため、ユーザは、砲台旋回軸２０３を砲台支持部材２０４の貫通穴内において手動で回動させることで、砲台本体１０１の旋回方向を自由に変えることができる（図２（ｂ）の点線は、砲台本体１０１を上面からみて左回りに旋回させた様子を示している）。
【０００７】
このように、従来の砲台１００では、砲身１０２の揺動と砲台本体１０１の旋回とが独立していた。
【発明の開示】
【発明が解決しようとする課題】
【０００８】
しかしながら、従来の砲台のように、砲身と砲台本体とが独立して動作する構成の場合、ユーザは、砲台本体の旋回と砲身の揺動とをそれぞれ別個に操作しなければならない。一方で、本物の戦艦や戦車等では、攻撃対象を発見し、攻撃対象の位置（方向と距離）を算出すると、直ちに攻撃態勢に入るべく、砲台本体を攻撃対象側に旋回させながら、砲身を攻撃対象までの距離に応じて揺動させる。
【０００９】
つまり、砲台本体の旋回と砲身の揺動とは互いに連動して動作させるほうが、より本物の動作に近くリアリティがあり、ユーザにとっては望ましい。
【００１０】
本発明は、上記課題に鑑みてなされたものであり、砲台本体の旋回と砲身の揺動とが連動する砲台を模した模型玩具ならびに該模型玩具が取り付けられた戦艦型または戦車型の模型玩具を提供することを目的とする。
【課題を解決するための手段】
【００１１】
上記の目的を達成するために本発明に係る模型玩具は以下のような構成を備える。即ち、
砲台本体と、砲台本体が旋回可能に取り付けられた砲台支持部と、砲台本体に揺動可能に配された砲身と、を備える砲台を模した模型玩具であって、
前記砲台支持部は、前記砲台本体が取り付けられたときに前記砲身の一部と接触し、前記砲台本体の前記砲台本体の前記砲台支持部に対する旋回に応じて、前記砲身を揺動させる案内部を有することを特徴とする模型玩具。
【発明の効果】
【００１２】
本発明によれば、砲台本体の旋回と砲身の揺動とが連動する砲台を模した模型玩具ならびに該模型玩具が取り付けられた戦艦型または戦車型の模型玩具を提供することが可能となる。
【発明を実施するための最良の形態】
【００１３】
以下、必要に応じて添付図面を参照しながら本発明の実施形態を詳細に説明する。
【００１４】
＜砲台を模した模型玩具が取り付けられる模型玩具の外観構成＞
図３（ａ）は本発明の一実施形態にかかる砲台を模した模型玩具が取り付けられる模型玩具の外観構成を示す図である。なお、図３（ａ）では、砲台を模した模型玩具が取り付けられる模型玩具の一例として戦艦型の模型玩具３００を例に説明するが、本発明は特に戦艦型の模型玩具に限られるものではなく、例えば、戦車型の模型玩具であってもよい。
【００１５】
図３（ａ）において、３０１は船体、３０２乃至３０７はそれぞれ砲台である。砲台３０２乃至３０７はそれぞれの砲台支持部（不図示）により船体３０１上に旋回可能に取り付けられている。なお、砲台３０２乃至３０７はそれぞれ、同様の内部構造を有していることから、以下では、砲台３０２を例に説明する。
【００１６】
図３（ｂ）は、砲台３０２の拡大図である。同図に示すように、砲台３０２の砲台本体３０８には、砲身３０９が３本揺動可能に配されている。
【００１７】
＜砲台３０２の内部構造（側面から見た場合）＞
図４（ａ）、（ｂ）はそれぞれ、砲台３０２の内部構造（側面から見た場合）を示す図である。同図に示すように、砲身３０９の端部には、突起部材４０１が配設された砲身揺動部材４０２が設けられている。砲身揺動部材４０２には、砲台本体３０８に配された砲身揺動軸４０３が挿通されており、これにより、砲身３０９は砲身揺動軸４０３回りに揺動することができる。また、突起部材４０１は、砲台支持部４０４の周面に沿って配設された案内部（溝部）４０５に接している。
【００１８】
溝部４０５は、砲台旋回軸４０６回りに進むにつれ、砲台旋回軸４０６の軸方向（図４（ａ）の例では下方向）に向かうように、砲台支持部４０４の周面に配設されている。このため、砲台旋回軸４０６回りに１８０度進んだ場合、溝部は、４０７に示す位置にくることになる。
【００１９】
砲台支持部４０４の底部は、基部（砲台３０２の場合には、甲板部）４０８に固定されている。また、砲台支持部４０４には、砲台旋回軸４０６が挿着されており、当該砲台旋回軸４０６は砲台本体３０８の天井部において砲台本体３０８と接続されている。これにより、砲台本体３０８は砲台旋回軸４０６回りに旋回する。
【００２０】
砲台本体３０８が砲台旋回軸４０６回りに旋回した場合、砲台本体３０８に設けられた砲身３０９は、砲台本体３０８とともに旋回する。砲台支持部４０４は基部４０８上に固定されているため、このとき、突起部材４０１は、砲台支持部４０４の溝部４０５に沿って摺動することとなる。つまり、溝部４０５は、突起部材４０１が砲台支持部４０４に沿って摺動する際の摺動面を形成する。
【００２１】
突起部材４０１が溝部４０５に沿って摺動した場合、砲身３０９の揺動は、砲台旋回軸４０６の軸方向に対する突起部材４０１の位置により規定されることとなる。つまり、溝部４０５は、砲台本体３０８の旋回に連動して砲身３０９の揺動を案内する案内部としの役割を有している。
【００２２】
図４（ａ）では、突起部材４０１が砲身揺動軸４０３と同じ高さ位置にあるため、砲身３０９の仰角は０度となる。これに対して、砲台本体３０８が１８０度回動すると（図４（ｂ）の状態）、突起部材４０１が砲身揺動軸４０３より下方向に位置することになるため、砲身３０９が揺動し仰角が大きくなる。
【００２３】
つまり、砲台本体３０８の旋回に応じて、砲身３０９が自動的に揺動することとなる。
【００２４】
＜砲台３０２の内部構造（上面から見た場合）＞
図５は砲台３０２の内部構造（上面から見た場合）を示す図である。同図に示すように、砲台本体３０８には、砲身３０９が３本揺動可能に設けられており、各砲身３０９には、砲身揺動部材４０２がそれぞれ配設されている。砲身揺動部材４０２には、砲台本体３０８に配された砲身揺動軸４０３が挿通されており、これにより、各砲身３０９は砲身揺動軸４０３回りに揺動することができる。
【００２５】
砲身揺動部材４０２に配設された突起部材４０１は、砲台本体３０８を旋回させた際、砲台支持部４０４の溝部４０５に沿って摺動するように、砲台旋回軸４０６からの距離がほぼ等しくなるように配置されている。
【００２６】
＜砲台支持部４０４の構成＞
図６は砲台支持部４０４の外観構成を示す図である。同図に示すように、砲台支持部４０４の周面には溝部４０５が配設されている。該溝部４０５の位置は、砲台旋回軸４０６回りに進むにつれ、砲台旋回軸４０６の軸方向に変動する。上述のように、溝部４０５は、砲台本体３０８旋回時に砲身３０９の揺動を案内する。更に砲台支持部４０４は砲台支持部本体６０１と旋回軸固定部６０２とを備えている。上述の溝部４０５は砲台支持部本体６０１の周面に無端状に配設されている。
【００２７】
旋回軸固定部６０２は、断面形状が八角形を有しており、基部４０８側に設けられた八角形の穴にその底面をはめ込むことにより、砲台支持部４０４が基部４０８に固定されることとなる。旋回軸固定部６０２には、砲台旋回軸４０６が挿着される貫通穴６０３が設けられている。旋回軸固定部６０２の上面は平坦になっており、砲台本体３０８の天井部を支持する。
【００２８】
＜砲台３０２の組立図＞
図７は、砲台３０２の組立図を示している。砲台本体３０８の天井部に配された砲台旋回軸４０６を砲台支持部４０４に挿着したうえで、砲台本体３０８の底部を砲台本体３０８の上部に取り付ける。このとき、砲台本体３０８の底部に設けられた穴７０１を、砲台支持部４０４の旋回軸固定部６０２が挿通するように構成されている。これにより、砲台本体３０８の底部より、砲台支持部４０４の旋回軸固定部６０２の底面が、砲台本体３０８の底部から突出した状態となる。
【００２９】
砲台本体３０８の底部から突出した、旋回軸固定部６０２の底面は、基部４０８に設けられた八角形の穴にはめ込まれる。これにより、砲台支持部４０４が基部４０８に対して固定されることとなる。
【００３０】
以上の説明から明らかなように、本実施形態によれば、砲台旋回軸が挿着される砲台支持部４０４の周面に、溝部を配設し、砲身揺動部材に配設された突起部材が、砲台旋回時に、当該溝部に沿って摺動するよう構成することにより、砲身の揺動を、砲台の旋回方向に連動して行うことが可能となった。
【００３１】
［第２の実施形態］
上記第１の実施形態では、砲台支持部４０４の周面に配された溝部４０５が、砲台旋回軸４０６回りに進むにつれ、砲台旋回軸４０６の軸方向に変動するとだけ記載し、具体的な形状についてまでは特に言及しなかったが、溝部４０５の形状によって、砲台３０２の旋回に対する砲身３０９の揺動動作を様々に設定できることはいうまでもない。
【００３２】
図８（ａ）は、砲台支持部４０４の周面を平面状に展開した様子を示す図であり、横軸は砲台３０２の旋回方向を、縦軸は溝部４０５の高さ位置をそれぞれ示している。また、図８（ｂ）は、砲台３０２の各旋回方向における砲身３０９の揺動動作を示す図であり、砲身３０９を正面から見た様子を模式的に示している。
【００３３】
図８（ａ）に示すように、溝部４０５は、傾斜部８０１と平坦部８０２とを備えており、砲台３０２の旋回に際して、傾斜部８０１でそれぞれ異なる仰角に保持されていた砲身３０９（図８（ｂ）の８０４、８０６参照）は、平坦部８０２において同じ仰角で保持されることとなる（つまり、傾斜部８０１において不揃いな方向を向いていた３本の砲身３０９は、平坦部８０２の位置まで砲台３０２が旋回されることにより、その向きが揃うこととなる。図８（ｂ）の８０３、８０５、８０７参照）。
【００３４】
このように、溝部４０５の形状を様々に構成することにより、砲台３０２旋回時の砲身３０９の揺動動作は、バリエーションに富んだものとなる。
【００３５】
［第３の実施形態］
上記第１の実施形態では、１つの砲台３０２に対応して１つの砲台支持部４０４が存することを前提として説明したが、本発明は特にこれに限定されない。１つの砲台３０２に対して複数の砲台支持部４０４（例えば、溝部４０５の形状が異なる複数の砲台支持部）を用意し、ユーザが任意に交換できるようにしてもよい。
【００３６】
このため、砲台本体３０８（上部）と砲台本体３０８（底部）との間、および砲台旋回軸４０６と砲台支持部４０４との間、ならびに、砲台支持部４０４と基部４０８との間を、それぞれ着脱可能に構成してもよい。
【００３７】
これにより、ユーザは、砲台３０２の旋回に対して砲身３０９が所望の揺動動作を行うような砲台支持部４０４を、選択的に使用することが可能となる。
【００３８】
［第４の実施形態］
上記第１の実施形態では、砲台支持部４０４の形状を円柱状としたが、本発明は特にこれに限定されず、例えば、砲台支持部４０４の周面は所定角度のテーパ面を有していてよい。
【００３９】
図９（ａ）の９００は、周面に所定角度のテーパ面を有する砲台支持部の外観の一例である。また、図９（ｂ）は、砲台支持部本体９０１の側面図および平面図（上面側、底面側）である。図９（ｂ）に示すように、砲台支持部本体９０１は、その上面９０３と底面９０４とがそれぞれ異なる大きさ（直径）の円形からなり、“底面９０４の直径＞上面９０３の直径”の関係となっている。更に、周面に配された溝部９０２に向かって、テーパ面９０５が配設されている。
【００４０】
砲台支持部本体９０１がこのような形状を有することにより、砲台本体３０８に砲台支持部９００を取り付ける際の作業性が向上するという効果が得られる。図１０は、テーパ面９０５を有する砲台支持部９００を砲台本体３０８に取り付ける様子を示す図である。同図に示すように、砲台本体３０８に砲台支持部９００を取り付ける際の、上記テーパ面９０５の作用は以下の通りである。
ステップ１：砲台支持部９００の貫通穴に砲台回転軸４０６を挿着するように、砲台支持部９００を矢印１００１方向に移動させると、砲台支持部９００のテーパ面９０５に砲身３０９の突起部材４０１が接触（１００２）。
ステップ２：更に砲台支持部９０１を矢印方向１００１に移動させることで、砲台支持部９００のテーパ面９０５が砲身３０９の突起部材４０１を上方向（挿着方向）に押圧。
ステップ３：砲台支持部９０１の移動に伴って砲身３０９が揺動し（矢印１００３）、砲台支持部９００の溝部９０２に砲身３０９の突起部材４０１が入り込む。
【００４１】
このように、砲台支持部にテーパ面を配設することにより、砲台支持部を容易に砲台本体に取り付けることができるようになる。
【００４２】
［その他の実施形態」
上記第１の実施形態では、基部４０８は砲台３０２の概念に含まれないものとして説明したが、本発明は特にこれに限られず、基部４０８が砲台３０２に含まれていてもよいことはいうまでもない。
【００４３】
また、上記第１の実施形態では、砲台支持部本体６０１と旋回軸固定部６０２とを一体として砲台支持部４０４としたが、本発明は特にこれに限られず、砲台支持部本体６０１と旋回軸固定部６０２とを別体として、それぞれ基部４０８に固定するようにしてもよい。
【００４４】
また、上記第１の実施形態では、砲台支持部本体６０１を円柱状の部材として説明したが、本発明は特にこれに限定されるものではなく、砲台本体３０８の旋回により突起部材４０１が摺動する構成であれば、砲台支持部本体６０１の形状は特に限定されない。
【００４５】
また、上記第１の実施形態では、砲台支持部４０４の周面に無端の溝部４０５を配設することとしたが、本発明は特にこれに限定されるものではなく、有端の溝部であってもよいし、また、砲台支持部４０４の周面の一部に溝部を形成するようにしてもよい。
【００４６】
また、上記第１の実施形態では、砲台支持部４０４が貫通穴６０３を有しているものとして説明したが、貫通穴である必要はなく、砲台旋回軸４０６を挿着できる構成であればよい。
【００４７】
また、上記第１の実施形態では、主砲の砲台３０２を代表として説明したため、砲身が３本であったが、本発明は特にこれに限定されるものではなく、砲身の数は１本以上であれば、何本でもよい。
【００４８】
また、上記第１の実施形態では、戦艦型の模型玩具として、組み立てられた模型玩具について説明したが、本発明は特にこれに限られない。例えば、プラモデル等の組み立て式の模型玩具であってもよい。その場合、組み立て後の砲身のみならず、砲身の組み立てに用いられる各ユニットについても、本発明に含まれるものとする。
【００４９】
また、上記第１の実施形態では、砲身揺動部材に突起部材を配設し、砲台支持部の周面に溝部を配設することとしたが、本発明は特にこれに限定されるものではなく、砲台支持部の周面に連続的に突起部材を配設し、砲身揺動部材に溝部を配設するようにしてもよい。
【図面の簡単な説明】
【００５０】
【図１】戦艦型の模型玩具に取り付けられる、従来の砲台の外観構成を示す図である。
【図２】従来の砲台の側面断面図および平面断面図である。
【図３】本発明の一実施形態にかかる砲台を模した模型玩具が取り付けられる模型玩具の外観構成を示す図である。
【図４】砲台の内部構造（側面から見た場合）を示す図である。
【図５】砲台の内部構造（上面から見た場合）を示す図である。
【図６】砲台支持部の外観構成を示す図である。
【図７】砲台の組立図を示している。
【図８】溝部の形状と砲身との関係を示す図である。
【図９】テーパ面を備える砲台支持部を示す図である。
【図１０】テーパ面を備える砲台支持部を砲台本体に取り付ける様子を示す図である。
【符号の説明】
【００５１】
３００        ：戦艦型の模型玩具
３０２        ：砲台
３０８        ：砲台本体
３０９        ：砲身
４０１        ：突起部材
４０２        ：砲身揺動部材
４０３        ：砲身揺動軸
４０４        ：砲台支持部
４０５、４０７：案内部（溝部）
４０６        ：砲台旋回軸
４０８        ：基部
【図１】
2007306989.tif 000003
【図２】
2007306989.tif 000004
【図３】
2007306989.tif 000005
【図４】
2007306989.tif 000006
【図５】
2007306989.tif 000007
【図６】
2007306989.tif 000008
【図７】
2007306989.tif 000009
【図８】
2007306989.tif 000010
【図９】
2007306989.tif 000011
【図１０】
2007306989.tif 000012